(57)【要約】【課題】施工簡便で、防水性が良好であるとともに、施工外観の向上を図ることのできる雨樋保持具を提供すること。【解決手段】雨樋を保持する雨樋保持部を前端側に有するとともに、被取付面に当接して取り付けられる取付部４を後端に有し、取付部の後端周縁部に後方に突出する凸条６が設けられ、凸条の内側に防水部材８の収納が可能な凹所７が形成されている。【選択図】図１
2009030305.tif 000002
【特許請求の範囲】
【請求項１】
雨樋を保持する雨樋保持部を前端側に有するとともに、被取付面に当接して取り付けられる取付部を後端に有し、取付部の後端周縁部に後方に突出する凸条が設けられ、凸条の内側に防水部材の収納が可能な凹所が形成されていることを特徴とする雨樋保持具。
【請求項２】
雨樋保持部の後端から後方に向かって支持部が延設され、支持部の後端に取付部が起立して配設されていることを特徴とする請求項１に記載の雨樋保持具。
【請求項３】
雨樋保持部は竪樋の外形形状に対応した形状に形成されていることを特徴とする請求項２に記載の雨樋保持具。
【発明の詳細な説明】
【技術分野】
【０００１】
本発明は、軒樋、竪樋などの雨樋を保持し、軒先に配設された鼻隠し板、外壁などの被取付面に固定する雨樋保持具に関する。
【背景技術】
【０００２】
軒樋、竪樋などの雨樋を保持する雨樋保持部を前端側に有する雨樋保持具は、軒先に配設された鼻隠し板、外壁などの被取付面に取り付けられ、固定されるが、被取付面への固定は、雨樋保持具の後端部において釘やビスなどの固着具を用いて行われることから、被取付面側に形成される固着具の周りの孔から雨水などが浸入しやすく、駆体の耐久性などを低下させるおそれがあるため、先に被取付面側に固着具用の下穴が形成される場合には下穴にシーリング材を塗り、または固着具の周辺部をコーキング処理するなどして防水性を付与していた。
【０００３】
しかしながら、そのようなシーリング材の塗布やコーキング処理などは非常に手間のかかる作業であり、また、施工外観が良好でないという問題があった。
【０００４】
そこで、本出願人は、雨樋受具主体に連結する釘打ち部の途中に板状のストッパーが設けられ、ストッパーの被取付面側にゴム系、アスファルト系などの防水パッキンが固着された雨樋受具を提案している（特許文献１）。
【０００５】
上記雨樋受具は、防水パッキンによって被取付面との密着性が良好となり、シーリング材の塗布やコーキング処理のための手間が解消され、防水効果を確実に得ることができるという利点を有する。
【特許文献１】実願昭５６−１４６４１３号（実開昭５８−４８８３６号）のマイクロフィルム
【発明の開示】
【発明が解決しようとする課題】
【０００６】
しかしながら、その後の検討により、上記雨樋受具には改善点が見出された。
【０００７】
防水パッキンは、被取付面との接触面を通常フラットな形状としているが、雨樋受具の施工時には被取付面との密着性を良好とするために後方に押し付けられることにより形状がつぶれ、防水機能は果たす一方で、ストッパーの周囲から外側にはみ出すことがしばしばあった。この防水パッキンのストッパーの周囲の外側へのはみ出しは、施工外観を低下させる。
【０００８】
本発明は、以上の通りの事情に鑑みてなされたものであり、施工簡便で、防水性が良好であるとともに、施工外観の向上を図ることのできる雨樋保持具を提供することを課題としている。
【課題を解決するための手段】
【０００９】
本発明は、上記の課題を解決するために、以下の特徴を有する。
【００１０】
第１の発明は、雨樋を保持する雨樋保持部を前端側に有するとともに、被取付面に当接して取り付けられる取付部を後端に有し、取付部の後端周縁部に後方に突出する凸条が設けられ、凸条の内側に防水部材の収納が可能な凹所が形成されていることを特徴としている。
【００１１】
第２の発明は、上記第１の発明において、雨樋保持部の後端から後方に向かって支持部が延設され、支持部の後端に取付部が起立して配設されていることを特徴としている。
【００１２】
第３の発明は、上記第２の発明において、雨樋保持部は竪樋の外形形状に対応した形状に形成されていることを特徴としている。
【発明の効果】
【００１３】
上記第１の発明によれば、軒先に配設された鼻隠し板、外壁などの被取付面に当接して取り付けられる、後端に有する取付部の後端周縁部に後方に突出する凸条が設けられ、凸条の内側にパッキンなどの防水部材の収納が可能な凹所が形成されているため、防水部材は、被取付面に圧接されて密着し、押しつぶされるように変形しても、凸条の内側の凹所内にとどまり、取付部の周囲から外側にはみ出すことがなく、防水性を良好に保持したまま、施工外観が良好となる。もちろん、シーリング材の塗布やコーキング処理などの防水性を付与するための作業は必要でなく、雨樋保持具の施工は簡便である。また、凸条は、防水部材を取付部に貼着などして配設する際の位置決めとしても機能し、防水部材の取り付けが容易であり、取付精度も良好で、施工現場において取り付ける際には取付作業が容易となる。
【００１４】
上記第２の発明によれば、上記第１の発明の効果に加え、雨樋保持部の後端から後方に向かって支持部が延設され、支持部の後端に取付部が起立して配設されているため、軒樋、竪樋などの雨樋を被取付面に対して所定の位置に保持、固定することができ、しかも取付部は、被取付面に面接触するため、雨樋保持具の取付状態が安定化する。
【００１５】
上記第３の発明によれば、上記第２の発明の効果に加え、雨樋保持部は竪樋の外形形状に対応した形状に形成されているため、施工簡便で、防水性が良好であるとともに、施工外観の向上を図ることのできる竪樋保持具が提供される。
【発明を実施するための最良の形態】
【００１６】
図１は、本発明の雨樋保持具の一実施形態を示した斜視図である。
【００１７】
図１に示した雨樋保持具１は、竪樋を保持して被取付面である外壁面に固定する竪樋保持具１ａであり、竪樋の外形形状に対応した略円形帯状に形成された雨樋保持部としての竪樋保持部２を前端に有している。竪樋保持部２の後端から後方に向かってアーム状の支持部３が延設され、支持部３の後端に被取付面である外壁面に当接して取り付けられる取付部４が配設されている。
【００１８】
取付部４は、略矩形板状形状を有し、起立して支持部３の後端に接続されている。取付部４には、横幅方向の略中央部において上下２箇所に前後に貫通する固着具挿入用の孔５が形成されている。孔５を通じて取付部４の前方から外壁に向かって釘を打ち込み、また、ビスをねじ込むなどによって竪樋保持具１ａを外壁面に取り付け、固定することができる。
【００１９】
また、取付部４には、外壁面に当接する後端の四周縁部に後方に突出する凸条６が設けられている。凸条６の配設によって、取付部４には凸条６の内側に矩形状に囲まれた凹所７が形成され、凹所７は、ゴム系、アスファルト系などの材料から形成される弾力性を有するパッキンなどの防水部材８を収納可能としている。
【００２０】
防水部材８は、取付部４を外壁面に押し付け、釘、ビスなどの固着具による固定の際に圧縮し、外壁面に圧接して密着することができる程度の弾力性を有し、外壁に釘が打ち込まれたり、ビスがねじ込まれたり、そのための下穴が形成されたりなどしても外壁内への雨水などの浸入を防止し、防水性を確保する。防水部材８は、略矩形板状形状を有しているが、形状については特に制限はなく、凹所７に収まる適当なものとすることができる。具体的には、圧縮されたときに凹所７に収まり、凸条６を超えて取付部４の外側にはみ出さないような形状とすることができ、外壁面との密着性をより良好とするためには、防水部材８の厚みは、凸条６の後方突出代より若干大きい方が好ましい。
【００２１】
防水部材８は、凹所７内において取付部４の後端面に接着剤、両面テープなどの粘着材などを用いて貼着などして取付部４に配設することができる。防水部材８の配設は、竪樋保持具１ａの生産工場においてあらかじめ行っても、竪樋保持具１ａの取り付けを行う施工現場で行ってもいずれでもよい。生産工場においてあらかじめ防水部材８の配設を行う際には、防水部材８を形成するエラストマーなどの弾力性を有する樹脂を竪樋保持具１ａの成形と同時に射出成形により竪樋保持具１ａと一体成形することができる。この場合、取付部４の後端の四周縁部に後方に突出して設けられた凸条６は、堰として機能し、防水部材８を形成する上記樹脂の取付部４の周囲から外側へのはみ出しを防止することができる。
【００２２】
このように、竪樋保持具１ａでは、外壁面に当接して取り付けられる、後端に有する取付部４の後端の四周縁部に後方に突出する凸条６が設けられ、凸条６の内側に防水部材８の収納が可能な凹所７が形成されているため、図２に取付状態を示したように、防水部材８は、外壁面９に圧接されて密着し、押しつぶされるように変形しても、凸条６の内側の凹所７内にとどまり、取付部４の周囲から外側にはみ出すことがない。防水部材８によって防水性を良好に保持したまま、竪樋保持具１ａの施工外観が良好となる。防水部材８によって防水性が付与されるので、当然、施工現場では、固着具のために外壁に形成された下穴にシーリング材を塗布したり、固着具の周辺部にコーキング処理を行ったりするなどの作業は必要でなく、竪樋保持具１ａの施工は簡便である。
【００２３】
また、凸条６は、防水部材８を取付部４に貼着などして配設する際の位置決めとしても機能し、防水部材８の取り付けが容易であり、取付精度も良好で、施工現場において取り付ける際には取付作業が容易となる。
【００２４】
さらに、竪樋保持具１ａでは、竪樋保持部２の後端から後方に向かって支持部３が延設され、支持部３の後端に取付部４が起立して配設されているため、外壁面９に対して所定の位置に竪樋を固定することができ、しかも取付部４は、凸条６の後端面において外壁面９に面接触するため、雨樋保持具の取付状態が安定化する。
【００２５】
竪樋保持具１ａは、施工簡便で、防水性が良好であるとともに、施工外観の向上を図ることができる。
【００２６】
なお、本発明の雨樋保持具は、以上の竪樋保持具１ａに限定されることはなく、軒先に配設される軒樋を鼻隠し板に取り付ける軒樋保持具であってもよい。その場合、雨樋保持部は、軒樋の外形形状などに応じて軒樋の機能を損なうことなく、また、美麗に保持することのできる適当な形状、構造を有するものとして設計することができ、取付部の形状、大きさなども保持する軒樋や被取付面としての鼻隠し板の強度などを考慮して適宜なものに設計することができる。
【００２７】
軒樋保持具の場合にも、軒先に配設された鼻隠し板に当接して取り付けられる、後端に有する取付部の後端周縁部に後方に突出する凸条が設けられ、凸条の内側に防水部材の収納が可能な凹所が形成されるため、防水部材は、被取付面に圧接されて密着し、押しつぶされるように変形しても、凸条の内側の凹所内にとどまり、取付部の周囲から外側にはみ出すことがない。施工簡便で、防水性が良好であるとともに、施工外観の向上を図ることができる軒樋保持具が提供される。
【図面の簡単な説明】
【００２８】
【図１】本発明の雨樋保持具の一実施形態を示した斜視図である。
【図２】図１に示した雨樋保持具の一実施形態としての竪樋保持具の壁面への取付状態を示した断面図である。
【符号の説明】
【００２９】
１  雨樋保持具
３  支持部
４  取付部
６  凸条
７  凹所
８  防水部材
【図１】
2009030305.tif 000003
【図２】
2009030305.tif 000004